(57)【要約】【課題】施工現場において、擬岩の形状を自由に変えることができ、かつ外部からの強い衝撃力に対しても陥没することがない擬岩構築工法の提供【解決手段】この発明の擬岩構築工法は、擬岩の凹凸を粗く形成した大きい網目を有する基本造形網１を、構築しようとする対象物２の表面から離隔ａして布設し、さらに基本造形網１の外側に、基本造形網１の表面から離隔ａ’して、擬岩の凹凸を細かく形成した小さい網目を有する仕上造形網３を布設したのち、空間部Ａにコンクリ−ト４を空間部Ｂにコンクリ−ト４’を充填し、充填完了後に、仕上造形網３を除去する。【選択図】 図３
2006002377.tif 000002
【特許請求の範囲】
【請求項１】
構築しようとする擬岩の凹凸を粗く形成した大きい網目を有する基本造形網（１）を、構築しようとする対象物（２）の表面から離隔（ａ）して布設し、さらに前記基本造形網（１）の外側に、該基本造形網（１）の表面から離隔（ａ’）して、前記擬岩の凹凸を細かく形成した小さい網目を有する仕上造形網（３）を布設したのち、前記対象物（２）の表面と前記基本造形網（１）との離隔（ａ）部から、コンクリ−ト（４）を、前記対象物（２）の表面と前記基本造形網（１）とで形成される空間部（Ａ）に注入し、該空間部（Ａ）を充填するとともに、前記基本造形網（１）の網目よりも大きい骨材（ｄ）が除去されたコンクリ−ト（４’）を、前記基本造形網（１）から、該基本造形網（１）と前記仕上造形網（３）とで形成される空間部（Ｂ）に流出させ、該空間部（Ｂ）を充填させることを特徴とする擬岩構築工法
【発明の詳細な説明】
【技術分野】
【０００１】
本発明は、構造物の修景、川づくり、岩場の創出等に対応可能な擬岩構築工法に関するものである。
【背景技術】
【０００２】
従来、構造物の修景、川づくり、岩場の創出等に対応するには、予め専門工場等で成形した、例えば、ガラス繊維強化コンクリ−ト製の擬岩パネルを修景しようとする擁壁ブロック等の表面に張り付けるという擬岩施工法（例えば、特許文献１参照。）が知られている。
しかし、この工法には、次のような問題点があった。
【０００３】
（１）既製の擬岩パネルであるので、施工現場における擬岩の修正が一切できない。
（２）擬岩パネルの中空部を空洞のままにして張り付ける場合があり、この場合には、外部からの強い衝撃力を受けると、擬岩パネルの一部が陥没することがある。
（３）擬岩パネルの中空部にコンクリ−トを注入し、コンクリ−トで充填した場合でも、擬岩パネルの内面と注入コンクリ−トとの接合が弱く、界面部に隙間が発生し易い。
【特許文献１】実用新案登録第２０９１５９６号号公報
【発明の開示】
【発明が解決しようとする課題】
【０００４】
この発明は、背景技術で記述した問題点を解消するためになされたもので、施工現場において、擬岩の形状を自由に変えることができ、かつ外部からの強い衝撃力に対しても陥没することがない擬岩構築工法の提供を目的とするものである。
【課題を解決するための手段】
【０００５】
この発明の擬岩構築工法は、構築しようとする擬岩の凹凸を粗く形成した大きい網目を有する基本造形網を、構築しようとする対象物の表面から離隔して布設し、さらに前記基本造形網の外側に、該基本造形網の表面から離隔して、前記擬岩の凹凸を細かく形成した小さい網目を有する仕上造形網を布設したのち、前記対象物の表面と前記基本造形網との離隔部から、コンクリ−トを、前記対象物の表面と前記基本造形網とで形成される空間部に注入し、該空間部を充填するとともに、前記基本造形網の網目よりも大きい骨材が除去されたコンクリ−トを、前記基本造形網から、該基本造形網と前記仕上造形網とで形成される空間部に流出させ、該空間部を充填させることを特徴とするものである。
【発明の効果】
【０００６】
この発明は上述のように構成されているので、次のような効果を奏する。
（１）施工現場において、基本造形網や仕上造形網を適宜に屈曲し、多サイズ・多方向の凹凸を付けることにより、擬岩の形状を、現場の環境や景観に最もマッチするように造形できるとともに、施主の所望があれば、要望の形状に修正することができる。
（２）仕上造形網によって最終的な擬岩の形状が作られるが、コンクリ−ト中に混入されている小石等の骨材のうち、基本造形網の網目よりも大きい骨材は、基本造形網で濾され、きめの細かいモルタルのみが基本造形網から仕上造形網に流出するので、擬岩の肌をきれいに仕上げることができる。
（３）最終的には、仕上造形網を除去するが、基本造形網は残存し、鉄筋コンクリ−トとして作用するので、擬岩表面のひび割れを防止できる。
（４）擬岩はコンクリ−ト充実タイプであるので、外部からの強い衝撃力に対しても陥没することはない。
【発明を実施するための最良の形態】
【０００７】
施工現場において、擬岩の形状を自由に変えることができ、かつ外部からの強い衝撃力に対しても陥没することがない擬岩構築工法の提供という目的を、大きい網目を有する基本造形網と該基本造形網の外側に布設する小さい網目を有する仕上造形網との組合せによって実現できた。
【実施例】
【０００８】
本発明の実施の一例を図面を参照しながら説明する。構築しようとする擬岩の凹凸を粗く形成した大きい網目を有する基本造形網１を、図１に示すように、構築しようとする、例えば、護岸、擁壁、川岸等の対象物２の表面から離隔ａして布設する。
【０００９】
図１において、ｂは基本造形網１を固定する骨組鉄筋、ｃは対象物２に埋設されたアンカ−鉄筋である。基本造形網１は、例えば、外径２ｍｍ、網目２０ｍｍの亜鉛メッキ鉄線からなる金網が適当でるが、これに限定されるものではない。なお、対象物２の表面からの離隔ａは、１０ｃｍ以上が好ましい。
【００１０】
さらに基本造形網１の外側に、図１に示すように、基本造形網１の表面から離隔ａ’して、擬岩の割れ目、しわ、窪み等の凹凸を細かく形成した小さい網目を有する仕上造形網３を布設する。
【００１１】
仕上造形網３は、例えば、外径０．８ｍｍ、網目５ｍｍの亜鉛メッキ鉄線からなる金網が適当であるが、これに限定されるものではない。なお、基本造形網１からの離隔ａ’は、５ｃｍ以上が好ましい。仕上造形網３は、最終的には除去するので、仕上造形網３の固定や補強はタル木等で行う。
【００１２】
ついで、対象物２の表面と基本造形網１との離隔ａ部から、コンクリ−ト４を、図２に示すように、対象物２の表面と基本造形網１とで形成される空間部Ａに注入し、空間部Ａを充填する。
【００１３】
空間部Ａへの注入に連動して、基本造形網１の網目よりも大きい骨材ｄが除去されたコンクリ−ト４’を、図２に示すように、基本造形網１から、基本造形網１と仕上造形網３とで形成される空間部Ｂに流出させ、空間部Ｂを充填させる。
【００１４】
なお、空間部Ａ，Ｂへのコンクリ−ト４，４’の充填作業が完了し、所定時間が経過した後、仕上造形網３を除去し、必要に応じて、擬岩の細かい部分の仕上げ造形を行う。
【００１５】
さらに、２週間程度の養生を行った後、必要に応じて、無機顔料、水性ペイント等を使用して、擬岩表面の着色を行う。
【産業上の利用可能性】
【００１６】
施工現場において、適宜に擬岩の形状を修正させながら、現場の環境、景観に最もマッチするように、擬岩を構築するための擬岩構築工法として利用できる。
【図面の簡単な説明】
【００１７】
【図１】発明の一実施例を示すコンクリ−ト注入前の側面図
【図２】図１において、コンクリ−トを注入した状態を示す側面図
【図３】図２において、仕上造形網を除去した状態を示す側面図
【符号の説明】
【００１８】
１ 基本造形網
２ 対象物
３ 仕上造形網
４ コンクリ−ト
４’ 基本造形網の網目よりも大きい骨材ｄが除去されたコンクリ−ト
Ａ 対象物２の表面と基本造形網１とで形成される空間部
Ｂ 基本造形網１と仕上造形網３とで形成される空間部
ａ 対象物２の表面からの離隔
ａ’基本造形網１の表面からの離隔
ｂ 基本造形網１を固定する骨組鉄筋
ｃ 対象物２に埋設されたアンカ−鉄筋
ｄ 基本造形網１の網目よりも大きい骨材
【図１】
2006002377.tif 000003
【図２】
2006002377.tif 000004
【図３】
2006002377.tif 000005